(57)【要約】      （修正有）【課題】直管形ＬＥＤ照明を確実に保持して落下する危険性を無くし、しかも、着脱が比較的簡単にできる落下防止器具を提供する。【解決手段】直管形ＬＥＤ照明の反射板に固定される取付金具１０と、取付金具１０に係止され直管形ＬＥＤ照明の管体を保持する係止バンド２０と、を備える。取付金具は、略コ字状に形成され、中央部には取付けネジ用の丸孔１５が形成された平板部と、平板部の両側が直角に折り曲げられ、角孔１４が形成された先端部１３とを備える。係止バンド２０は、略半円状に形成されたバンド体２１と、バンド体２１の両側に設けられ取付金具の角孔１４に嵌合する嵌合部２２とを備える。【選択図】図１
0003165528.tif 000002
【実用新案登録請求の範囲】
【請求項１】
直管形ＬＥＤ照明の反射板に固定される取付金具と、前記取付金具に係止され前記直管形ＬＥＤ照明の管体を保持する係止バンドと、が備えられていることを特徴とする落下防止器具。
【請求項２】
前記取付金具は、略コ字状に形成され、中央部には取付けネジ用の丸孔が形成された平板部と、前記平板部の両側が直角に折り曲げられ前記係止バンドと係合する角孔が形成された先端部と、が備えられていることを特徴とする請求項１に記載の落下防止器具。
【請求項３】
前記取付金具は、略コ字状に形成され、中央部には取付けネジ用の丸孔が形成された平板部と、前記平板部の両側が直角に折り曲げられ前記係止バンドと係合する角孔が形成された先端部と、が備えられ、前記平板部の内側に略コ字状に形成された補強板が貼り付け
られていることを特徴とする請求項１に記載の落下防止器具。
【請求項４】
前記係止バンドは、略半円状に形成されたバンド体と、前記バンド体の両端に設けられ
前記取付金具の角孔に嵌合する嵌合部と、が備えられていることを特徴とする請求項１乃至請求項３に記載の落下防止器具。
【請求項５】
前記嵌合部は、前記バンド体の先端の板厚方向に形成され前記取付金具の先端部が挿入される挿入穴と、前記バンド体の先端に形成され前記取付金具の角孔に係合する楔状突起と、が備えられていることを特徴とする請求項４に記載の落下防止器具。
【請求項６】
前記取付金具の一方の端部と前記係止バンドの一方の端部でヒンジ機構が構成され、前記係止バンドが回動可能に取付けられていることを特徴とする請求項1に記載の落下防止器具。
【考案の詳細な説明】
【技術分野】
【０００１】
本考案は、直管形ＬＥＤ照明の落下を防止するための落下防止器具に関する。
【背景技術】
【０００２】
近年、環境意識の高まりから、省電力化に優れたＬＥＤを光源に使用したＬＥＤ照明が盛んに用いられるようになってきた。特に最近は、従来の蛍光灯に代えて直管形ＬＥＤ照明が急激に使用されるようになってきた。しかしながら、この直管形ＬＥＤ照明は、ＬＥＤ素子を数十個以上使用するため、その重量は従来の蛍光灯に比べ２倍程度になり、この直管形ＬＥＤ照明を取付けた場合に、従来の蛍光灯に比べ落下する可能性が大きくなるという問題があった。特に直管形ＬＥＤ照明は長寿命になるため、交換のスパンが非常長くなり、その危険性がさらに増すという問題があった。そこで、この問題を解決する手段として、特許文献１に示すような蛍光灯型ＬＥＤ照明具の落下防止治具があった。
【０００３】
この蛍光灯型ＬＥＤ照明具の落下防止治具は、蛍光灯器具の一対のソケットの間に取付けられた蛍光灯型ＬＥＤ照明具を支持する支持部と、前記支持部と前記蛍光灯器具の本体部の間を結ぶ連結部を備えたことを特徴とするものである。
【先行技術文献】
【特許文献】
【０００４】
【特許文献１】実登３１５５０１８号公報
【考案の概要】
【考案が解決しようとする課題】
【０００５】
しかしながら、この特許文献１に示す蛍光灯型ＬＥＤ照明具の落下防止治具においては、支持部３２の下側が開放された半円弧状をしており、この支持部３２の蛍光灯型ＬＥＤを把持する強度は、この支持部３２の板厚や加工形状により左右されるものであり、地震などの場合に落下する危険性は皆無とは言い難いものであった。また、この落下防止治具を作るためには、構成部品である装着部３０と支持部３２、連結部３４をそれぞれ所定の形状に加工した後に、さらにこれら３つの部品を溶接する必要があり、製造に手間がかかるという問題もあった。
【０００６】
本考案は前述した従来の問題点を鑑みなされたものであり、直管形ＬＥＤ照明を確実に保持することにより落下の危険性を無くし、しかも、着脱が比較的簡単にできる落下防止器具を提供するものである。
【課題を解決するための手段】
【０００７】
上記課題を解決するため、請求項１の考案にあっては、直管形ＬＥＤ照明の反射板に固定される取付金具と、前記取付金具に係止され前記直管形ＬＥＤ照明の管体を保持する係止バンドと、が備えられていることを特徴とするものである。
【０００８】
また、請求項２の考案にあっては、前記取付金具は、略コ字状に形成され、中央部には取付けネジ用の丸孔が形成された平板部と、前記平板部の両側が直角に折り曲げられ前記係止バンドと係合する角孔が形成された先端部と、が備えられていることを特徴としている。
【０００９】
また、請求項３の考案にあっては、前記取付金具は、略コ字状に形成され、中央部には取付けネジ用の丸孔が形成された平板部と、前記平板部の両側が直角に折り曲げられ前記係止バンドと係合する角孔が形成された先端部と、が備えられ、前記平板部の内側に略コ字状に形成された補強板が貼り付けられていることを特徴としている。
【００１０】
また、請求項４の考案にあっては、前記係止バンドは、略半円状に形成されたバンド体と、前記バンド体の両端に設けられ前記取付金具の角孔に嵌合する嵌合部と、が備えられていることを特徴としている。
【００１１】
また、請求項５の考案にあっては、前記嵌合部は、前記バンド体の先端の板厚方向に形成され前記取付金具の先端部が挿入される挿入穴と、前記バンド体の先端に形成され前記取付金具の角孔に係合する楔状突起と、が備えられていることを特徴としている。
【００１２】
さらに、請求項６の考案にあっては、前記取付金具の一方の端部と前記係止バンドの一方の端部でヒンジ機構が構成され、前記係止バンドが回動可能に取付けられていることをとするものである。
【考案の効果】
【００１３】
本考案によれば、係止バンドを使用することにより管体を下側から確実に保持するので落下する危険性を皆無にすることができ、しかも、この係止バンドをワンタッチで取付けできるので、きわめて簡単に取付けができる落下防止器具を提供するものである。
【図面の簡単な説明】
【００１４】
【図１】本考案に係る落下防止器具を示す分解斜視図である。
【図２】図１に示す落下防止器具の嵌合部を示す一部破断の拡大斜視図である。
【図３】図１に示す落下防止器具の使用状態を示す正面図である。
【図４】図３のＸ−Ｘ断面図である。
【図５】落下防止器具の実施例を示す分解斜視図である。
【図６】図５に示す落下防止器具の使用状態を示す断面図である。
【図７】落下防止器具の実施例を示す断面図である。
【考案を実施するための形態】
【００１５】
以下、本考案における落下防止器具の実施の形態を添付図面に基づいて説明する。図１は本考案に係る落下防止器具Ａを示すもので、天井に取付けられた既存の反射板２にネジ３などで固定される取付金具１０と、この取付金具１０に係止される直管形ＬＥＤの管体１を保持する係止バンド２０と、から構成されている。
【００１６】
この落下防止器具Ａに使用されている取付金具１０は、ステンレスなどの耐久性の高い金属材料より略コ字状に形成されたものであり、反射板に取付けられる天板部１１と、両側に折り曲げられた脚板部１２，１２から構成されている。天板部２の中央部には取付けネジ用の丸孔１５が形成され、脚板部１２，１２には、それぞれ先端部１３，１３が形成され、この先端部１３，１３には、それぞれ係止バンド２０の係止用の角孔１４，１４が形成されている。
【００１７】
また、この取付金具１０に係止される係止バンド２０は、ポリプロピレンなどの透明の樹脂材料から形成されたもので、略Ｕ字状に形成されたバンド体２１と、このバンド体２１の両端に設けられ前記角孔１４に嵌合する嵌合部２２と、が備えられており、このバンド体２１の両端面には強度補強のためリブ体２８、２８が形成されている。
【００１８】
また、嵌合部２２は、図２に示すように、前記バンド体２１の先端部に形成されたものである。この嵌合部２２は、前記取付金具１０の先端部１３が挿入される挿入孔２３と、前記バンド体２１の先端に形成され前記取付金具１０の角孔１４に係合する楔状突起２４を備えたものである。
【００１９】
また、嵌合部２２の挿入孔２３は、バンド体２１の板厚方向に設けられており、外側に突出した外枠２５と楔状突起２４との間に設けられている。そして嵌合部２２は、楔状突起２４にバネ性を与えるため、バンド体２１の外側寄りを所定幅で切り込んで切欠部２６，２６を形成し、残った中央部側を楔板２７としたものである。
【００２０】
このように構成された落下防止器具Ａは、図３または図４に示すように天井に取付けられた直管形ＬＥＤの管体１に取付けられるものである。この落下防止器具Ａを取付ける場合は、まず、直管形ＬＥＤの管体１を取り外した状態で、既存の反射板２に取付け用のネジ３を取付金具１０の丸孔１５より差し込み固定する。次に、管体１を固定用のソケット４、４に取付ける。そして、管体１の下側より係止バンド２０を取付金具１０に嵌め込むものである。
【００２１】
この場合の係止バンド２０の取付けは、取付金具１０の先端部１３，１３に係止バンド２０の挿入孔２３、２３を合わせて押し込めば、取付金具１０の先端部１３，１３が係止バンド２０の楔状突起２４、２４の斜面に沿って進み、さらに、この楔状突起２４、２４はバネ性を有するので、比較的軽い力で楔状突起２４、２４が先端部１３，１３の角孔１４，１４に嵌着するものである。そして、一旦、楔状突起２４、２４が角孔１４，１４に嵌着すると、この楔状突起２４の形状により容易には外れない。特に、上下方向の震動や衝撃に対しては絶対的な強度を備えるものである。
【００２２】
このように、落下防止器具Ａは、多少の衝撃や地震の震動などでは容易に外れないので、取付けられた直管形ＬＥＤの特徴である長時間寿命の間も落下等の心配もなく、安心して使用できるものである。さらに、直管形ＬＥＤの交換などで、係止バンド２０を外す場合は、図４の状態において、係止バンド２０の両端の嵌合部２２、２２を指で内側に押すと、楔状突起２４、２４と角孔１４，１４の係合が外れるので、係止バンド２０をそのまま下側に引き抜けば外れるものである。
【００２３】
次に、図５に示す落下防止器具Ｂは、前述した落下防止器具Ａの取付金具１０の構造を一部変更し、さらに係止強度を高めたものである。尚、同一部材には同一符号を付し、詳細な説明を省略する。この落下防止器具Ｂにおける取付金具１０′は、前記平板部の内側に略コ字状に形成された補強板１６が貼り付けられたものである。この補強板１６は、前記取付金具１０と同様に、ステンレスなどの耐久性の高い金属材料より略コ字状に形成されたものであり、先端部は楔状突起２４が挿入し易いように、内側に若干曲げてある。
【００２４】
上述のように構成された取係止バンド２０は、使用状態においては図６に示すように、係止バンド２０が係止されると、内側のガイド壁１６、１６により楔状突起２４、２４が内側に押されても抜けることを防止するので、一層確実に係止バンド２０を係止できるものである。
【００２５】
また、係止バンド２０を外す場合にも、落下防止器具Ａの場合と同様に、係止バンド２０の両端の嵌合部２２、２２を指で内側に押すと、ガイド壁１６、１６はバネ性を備えているので楔状突起２４、２４と共に内側に押されと角孔１４，１４との係合が外れるので、係止バンド２０をそのまま下側に引き抜けば、係止バンド２０を取り外せるものである。
【００２６】
以上のように構成された落下防止器具Ｂは、管体１を下側から係止バンド２０で確実に保持するので落下する危険性を皆無にすることができる。しかも、この係止バンド２０は楔状突起により取付金具１０′の角孔にワンタッチで嵌着できるので、きわめて簡単に取付けができるものである。
【００２７】
また、図７に示す落下防止器具Ｃは、直管形ＬＥＤ照明の反射板に固定される取付金具と、前記取付金具に係止され前記直管形ＬＥＤ照明の管体を保持する係止バンドと、が備えられ、前記取付金具の一方の端部と前記係止バンドの一方の端部でヒンジ機構３５が構成されている。このヒンジ機構３５は、取付金具１０”の一方の端部にはヒンジ部１７が形成され、係止バンド３０の一方の端部に形成されたヒンジ部３６にヒンジピン３６で回動可能に取付けられたものである。なお、取付金具１０”と係止バンド３０の他方の端部には、取付金具１０”と係止バンド２０の端部と同様に角孔と楔状突起３４が形成されている。
【００２８】
さらに、このヒンジ機構３５には図示しない公知のロック機構が具備されており、係止バンド３０を最大に開いた状態（図７に示す二点鎖線の状態）で保持することができ、解除する場合には少し強く下側に引くと簡単に解除できるものである。この落下防止器具Ｃは、管体を取り外す場合に係止バンド３０が邪魔にならず、しかも、再度係止バンド３０を取付ける場合には、そのまま係止バンド３０を回動させれば、係止バンド３０の楔状突起３４を取付金具１０”の角孔にワンタッチで嵌着できるので、きわめて簡単に取付けができるものである。
【符号の説明】
【００２９】
１は管体
２は反射板
３はネジ
４はソケット
１０は取付金具
１０′は取付金具
１０” は取付金具
１１は天板部
１２は脚板部
１３は先端部
１４は角孔
１５は丸孔
１６は補強板
２０は係止バンド
２１はバンド体
２２は嵌合部
２３は挿入孔
２４は楔状突起
２５は外枠
２６は切欠部
２７は楔板
３０は係止バンド
３５はヒンジ部
３６はヒンジピン
【図１】
0003165528.tif 000003
【図２】
0003165528.tif 000004
【図３】
0003165528.tif 000005
【図４】
0003165528.tif 000006
【図５】
0003165528.tif 000007
【図６】
0003165528.tif 000008
【図７】
0003165528.tif 000009